(57)【要約】【課題】上部ユニットおよび下部ユニットを備えるダイスの保守作業の作業性を向上させるダイス分解保守用装置を提供する。【解決手段】本発明のダイス分解保守用装置１は、互いに分離可能な上部ユニット１１０および下部ユニット１２０を備えるシート作製用のダイス１００を分解し、保守する際に使用される装置であって、上部ユニット１１０が固定されるダイス固定用器具２０と、ダイス分離用器具３０と、ダイス固定用器具２０に固定された上部ユニット１１０を反転させるダイス反転手段４０とを具備する。【選択図】図１
2014030918.tif 000002
【特許請求の範囲】
【請求項１】
互いに分離可能な上部ユニットおよび下部ユニットを備えるシート作製用のダイスを分解し、保守する際に使用されるダイス分解保守用装置であって、
ダイス固定用器具とダイス分離用器具とダイス反転手段とを具備し、
ダイス固定用器具は、上部ユニットの一方の側部を支持する第１支持部と、上部ユニットの他方の側部を支持する第２支持部と、第１支持部に設けられた第１シャフトと、第２支持部に設けられた第２シャフトと、第１支持部および第２支持部に接続された梁部とを備え、第１シャフトと第２シャフトは同一直線上に配置されており、第１支持部、第２支持部および梁部の少なくとも１つは、上部ユニットを固定可能になっており、
ダイス分離用器具は、ダイス固定用器具を載せる台板部を備え、
ダイス反転手段は、第１シャフトを支持するシャフト支持部と、ダイス分離用器具から搬送されたダイス固定用器具の第２シャフトを回転させるシャフト回転部とを備える、
ことを特徴とするダイス分解保守用装置。
【発明の詳細な説明】
【技術分野】
【０００１】
本発明は、押出機に取り付けられるシート作製用のダイスを分解して保守（清掃、点検、補修等）する際に使用されるダイス分解保守用装置に関する。
【背景技術】
【０００２】
樹脂シートを作製する方法として、押出機により溶融樹脂を、押出機の先端に取り付けられたダイスから幅広に吐出させる方法が知られている。
シート作製用のダイスとしては様々なものが知られており、例えば、上部ユニットおよび下部ユニットを備えるものが知られている。上部ユニットおよび下部ユニットは、これらの間に、溶融樹脂をシート状にする隙間（リップ）が形成されるように、且つ、互いに分離可能なように一体化されている（特許文献１）。
ところで、樹脂シートを製造した後、あるいは、シートの品種を切り替える際には、コンタミネーションを防ぐために、ダイスを分解し、溶融樹脂が接触していた面（以下、「溶融樹脂接触面」という。）を清掃することがある。また、溶融樹脂接触面に損傷が生じた際には、樹脂シートを製造した後に、補修することがある。
上部ユニットには、通常、リップ開度調整手段、ヒータ熱媒体用のホースおよび電気ケーブル等の付帯設備が取り付けられている。そのため、上部ユニットの溶融樹脂接触面を清掃する際に、溶融樹脂接触面が上を向くように床置きすることは困難であった。そこで、従来は、上部ユニットを吊り上げて下部ユニットから分離し、上部ユニットと下部ユニットの間に手を差し込んで、溶融樹脂接触面を清掃または補修していた。この清掃作業または補修作業は、作業性が低かった。
【先行技術文献】
【特許文献】
【０００３】
【特許文献１】実公平７−２６８号公報
【発明の概要】
【発明が解決しようとする課題】
【０００４】
本発明は、上部ユニットおよび下部ユニットを備えるダイスの保守作業の作業性を向上させるダイス分解保守用装置を提供することを目的とする。
【課題を解決するための手段】
【０００５】
本発明のダイス分解保守用装置は、互いに分離可能な上部ユニットおよび下部ユニットを備えるシート作製用のダイスを分解し、保守する際に使用されるダイス分解保守用装置であって、ダイス固定用器具とダイス分離用器具とダイス反転手段とを具備し、ダイス固定用器具は、上部ユニットの一方の側部を支持する第１支持部と、上部ユニットの他方の側部を支持する第２支持部と、第１支持部に設けられた第１シャフトと、第２支持部に設けられた第２シャフトと、第１支持部および第２支持部に接続された梁部とを備え、第１シャフトと第２シャフトは同一直線上に配置されており、第１支持部、第２支持部および梁部の少なくとも１つは、上部ユニットを固定可能になっており、ダイス分離用器具は、ダイス固定用器具を載せる台板部を備え、ダイス反転手段は、第１シャフトを支持するシャフト支持部と、ダイス分離用器具から搬送されたダイス固定用器具の第２シャフトを回転させるシャフト回転部とを備える。
【発明の効果】
【０００６】
本発明のダイス分解保守用装置は、上部ユニットおよび下部ユニットを備えるダイスの保守作業の作業性を向上させることができる。
【図面の簡単な説明】
【０００７】
【図１】本発明のダイス分解保守用装置の一実施形態を示す斜視図である。
【図２】図１のダイス分解保守用装置を用いたダイス清掃方法の固定工程を示す斜視図である。
【図３】図１のダイス分解保守用装置を用いたダイス清掃方法の固定工程を示す斜視図である。
【図４】図１のダイス分解保守用装置を用いたダイス清掃方法の固定工程を示す斜視図である。
【図５】図１のダイス分解保守用装置を用いたダイス清掃方法の固定工程を示す斜視図である。
【図６】図１のダイス分解保守用装置を用いたダイス清掃方法の搬送工程を示す斜視図である。
【図７】図１のダイス分解保守用装置を用いたダイス清掃方法の搬送工程を示す斜視図である。
【図８】図１のダイス分解保守用装置を用いたダイス清掃方法の反転工程を示す斜視図である。
【図９】図１のダイス分解保守用装置を用いたダイス清掃方法の反転工程を示す模式図である。
【発明を実施するための形態】
【０００８】
本発明のダイス分解保守用装置の一実施形態について説明する。
図１に、本実施形態のダイス分解保守用装置を示す。本実施形態のダイス分解保守用装置１は、シート作製用のダイスを清掃する際に使用されるものであり、ダイス固定用器具２０とダイス分離用器具３０とダイス反転手段４０とを具備する。
【０００９】
（ダイス）
本実施形態のダイス分解保守用装置１に適用されるダイスは、上部ユニット１１０および下部ユニット１２０を備えるものである。
上部ユニット１１０および下部ユニット１２０は、これらの間に、溶融樹脂が通過するリップが形成されるように配置され、また、上部ユニット１１０と下部ユニット１２０とが互いに分離可能なように一体化されている。本実施形態で使用されるダイス１００の両方の側面においては、上部ユニット１１０および下部ユニット１２０の各々に突出部１１１，１２１が形成され、突出部１１１，１２１の間に隙間Ｑが形成されている。
また、上部ユニット１１０および下部ユニット１２０の各々には、押出機から供給された樹脂を加熱するためのヒータが内蔵されている。また、図示はしていないが、ヒータ熱媒体用のホースや電気ケーブルが複数本接続される。
また、本実施形態で使用されるダイス１００は、上部ユニット１１０に取り付けられて、リップ開度を自動的に調整するためのリップ開度調整手段１３０を備えている。
【００１０】
（ダイス固定用器具）
ダイス固定用器具２０は、第１支持部２１と第２支持部２２と第１シャフト２３と第２シャフト２４と梁部２５と固定補助部２６とリング部２７とを備える。
【００１１】
［第１支持部］
本実施形態における第１支持部２１は、上部ユニット１１０の一方の側部を支持するものである。本実施形態における第１支持部２１は、サイドプレート部２１ａと、サイドプレート部２１ａを固定するサイドプレート固定部２１ｂとを備える。
サイドプレート部２１ａは、鉛直方向に配置された平板部２１ｃと、平板部２１ｃの片面から垂直に突出した凸部２１ｄとを有する。凸部２１ｄは、上部ユニット１１０の一方の側部の隙間Ｑに差し込まれて、上部ユニット１１０の突出部１１１を下から支持するようになっている。
サイドプレート固定部２１ｂは、サイドプレート部２１ａの平板部２１ｃが当接する側板部２１ｅと、側板部２１ｅの下部に設けられ、サイドプレート部２１ａの平板部２１ｃが載せられる底板部２１ｆとにより構成されている。
サイドプレート部２１ａおよびサイドプレート固定部２１ｂには各々ネジ穴Ｈが形成されており、サイドプレート部２１ａをサイドプレート固定部２１ｂにネジ留めできるようになっている。
【００１２】
［第２支持部］
本実施形態における第２支持部２２は、上部ユニット１１０の他方の側部を支持するものである。本実施形態における第２支持部２２は、サイドプレート部２２ａと、サイドプレート部２２ａを固定するサイドプレート固定部２２ｂとを備える。
サイドプレート部２２ａは、鉛直方向に配置された平板部２２ｃと、平板部２２ｃの片面から垂直に突出した凸部２２ｄとを有する。凸部２２ｄは、上部ユニット１１０の他方の側部の間の隙間Ｑに差し込まれて、上部ユニット１１０の突出部１１１を下から支持するようになっている。
サイドプレート固定部２２ｂは、サイドプレート部２２ａの平板部２２ｃが当接する側板部２２ｅと、側板部２２ｅの下部に設けられ、サイドプレート部２２ａの平板部２２ｃが載せられる底板部２２ｆとにより構成されている。
サイドプレート部２２ａおよびサイドプレート固定部２２ｂには各々ネジ穴Ｈが形成されており、サイドプレート部２２ａをサイドプレート固定部２２ｂにネジ留めできるようになっている。
【００１３】
［第１シャフト、第２シャフト］
第１シャフト２３は、第１支持部２１のサイドプレート固定部２１ｂの外側面に回転不能に取り付けられ、第２シャフト２４は、第２支持部２２のサイドプレート固定部２２ｂの外側面に回転不能に取り付けられている。第１シャフト２３と第２シャフト２４とは、同一直線上に配置されている。
【００１４】
［梁部］
梁部２５は、第１支持部２１および第２支持部２２に接続されたものである。梁部２５を備えることにより、第１支持部２１および第２支持部２２の位置ずれを防ぎ、第１シャフト２３と第２シャフト２４との同一直線上の配置を維持できるようになっている。
本実施形態における梁部２５は、四角柱状で、一方の端部が第１支持部２１のサイドプレート固定部２１ｂに接続され、他方の端部が第２支持部２２のサイドプレート固定部２２ｂに接続されている。梁部２５に対してサイドプレート固定部２１ｂ，２２ｂは各々垂直に配置されている。
また、本実施形態における梁部２５は、上部ユニット１１０を固定可能になっている。上部ユニット１１０の固定方法としては、例えば、上部ユニット１１０の背面にネジ穴を形成し、そのネジ穴に対応するネジ穴を梁部２５にも形成し、梁部２５を上部ユニット１１０の背面にネジ留めする方法が挙げられる。また、他の固定方法として、上部ユニット１１０および梁部２５の両方に同時に装着して上部ユニット１１０を梁部２５に固定する固定用具を用いる方法が挙げられる。
【００１５】
［固定補助部］
固定補助部２６は、梁部２５に取り付けられ、上部ユニット１１０の上面を押さえる支持面を有するものである。この固定補助部２６は、後述するように、ダイス反転手段４０により上部ユニット１１０の上下を反転させた際に、上部ユニット１１０を下から支えるようになっている。
【００１６】
［リング部］
リング部２７は、後述する搬送手段２００のクランプ２３０が引っ掛けられるものである。本実施形態では、リング部２７は、サイドプレート固定部２１ｂ，２２ｂと梁部２５とに取り付けられている。
【００１７】
（ダイス分離用器具）
ダイス分離用器具３０は、上部ユニット１１０をダイス固定用器具２０に固定する作業を行うと共に下部ユニット１２０から上部ユニット１１０を分離する作業を行う際に使用されるものである。本実施形態におけるダイス分離用器具３０は、具体的には、四角柱体の枠部３１ａおよび枠部３１ａに立設した柱部３１ｂから構成された台座部３１と、柱部３１ｂの上部に水平に設けられ、サイドプレート固定部２１ｂが載せられる第１台板部３２と、柱部３１ｂの上部に水平に設けられ、サイドプレート固定部２２ｂが載せられる第２台板部３３と、第１台板部３２に設けられ、第１シャフト２３を保持する第１シャフト保持部３４と、第２台板部３３に設けられ、第２シャフト２４を保持する第２シャフト保持部３５と、枠部３１ａの下部に取り付けられたキャスタ３６とを備える。
第１台板部３２と第２台板部３３は、ダイス分離用器具３０で保持したダイス固定用器具２０が水平になるように、高さが同じにされている。
第１シャフト保持部３４は、第１台板部３２に立設した２本のガイド部３４ａ，３４ａによって第１シャフト２３を挟んで保持するようになっている。第２シャフト保持部３５は、第２台板部３３に立設した２本のガイド部３５ａ，３５ａによって第２シャフト２４を挟んで保持するようになっている。
【００１８】
このダイス分離用器具３０では、第１シャフト保持部３４によって第１シャフト２３を保持し、第２シャフト保持部３５によって第２シャフト２４を保持することによって、ダイス固定用器具２０の全体を保持すると共に第１台板部３２および第２台板部３３によって下から支えるようになっている。
また、ダイス分離用器具３０は、キャスタ３６によって任意の方向に移動可能になっており、押出機から取り外されたダイス１００に近接または離間できるようになっている。
【００１９】
（ダイス反転手段）
ダイス反転手段４０は、シャフト支持部４１とシャフト回転部４２と台座部４３とキャスタ４４とを備える。
シャフト支持部４１は、第１シャフト２３を支持するものである。本実施形態におけるシャフト支持部４１は、第１シャフト２３を載せる受け部４１ａと、第１シャフト２３を上から抑え付ける抑え部４１ｂとからなっている。受け部４１ａは台座部４３に固定され、抑え部４１ｂは受け部４１ａに取り付けられる。受け部４１ａおよび抑え部４１ｂは共に、第１シャフト２３の周面に対応する凹部が形成されている。抑え部４１ｂが受け部４１ａに取り付けられた際には、第１シャフト２３を締め付けて回転不能にすることができる。
シャフト回転部４２は、搬送手段２００によって搬送されたダイス固定用器具２０の第２シャフト２４を固定すると共に回転させるものである。本実施形態におけるシャフト回転部４２は、第２シャフト２４が載せられる受け部４２ａと、第２シャフト２４に連結する連結用シャフト４２ｂと、連結用シャフト４２ｂに第２シャフト２４を連結させる連結用具４２ｃと、連結用シャフト４２ｂを回転させる回転ハンドル４２ｄと、第２シャフト２４を保持するシャフト保持部４２ｅとを備える。
受け部４２ａは、第２シャフト２４が載せられる凹部が形成されたものである。連結用シャフト４２ｂは、その直径が第２シャフト２４の直径と略同等にされている。本実施形態における連結用具４２ｃは、管状で、縮径して第２シャフト２４および連結用シャフト４２ｂを締結可能なものである。シャフト保持部４２ｅは、第２シャフト２４の直径よりやや長い間隔で配置された２本のガイド部４２ｅ１，４２ｅ１から構成されている。
台座部４３は、シャフト支持部４１およびシャフト回転部４２を載せたものである。
キャスタ４４は、台座部４３に取り付けられ、ダイス反転手段４０を移動可能にするものである。
【００２０】
上記ダイス反転手段４０では、第１シャフト２３を受け部４１ａによって受けることによって支持するようになっている。また、受け部４２ａによって、搬送手段２００によって搬送されたダイス固定用器具２０の第２シャフト２４を保持できるようになっている。また、連結用具４２ｃによって第２シャフト２４を連結用シャフト４２ｂに連結するようになっている。また、回転ハンドル４２ｄを回転させることによって、連結用シャフト４２ｂを回転させるようになっている。
これにより、連結用シャフト４２ｂの回転を第２シャフト２４に伝達させ、ダイス固定用器具２０を回転させて、ダイス固定用器具２０に固定された上部ユニット１１０の上下を反転できるようになっている。
【００２１】
（搬送手段）
本実施形態では、ダイス固定用器具２０に固定された上部ユニット１１０（図３，６参照）を、ダイス固定用器具２０からダイス反転手段４０に、または、ダイス反転手段４０からダイス固定用器具２０に搬送する際に搬送手段２００を使用する。
具体的に搬送手段２００は、滑車２１０と、滑車２１０に取り付けられたチェーン２２０と、チェーン２２０の下端に取り付けられたクランプ２３０とを備えたチェーンブロックである。滑車２１０は、作業場の天井に取り付けられたレール等に移動可能に取り付けられている。
この搬送手段２００では、後述のダイス固定用器具２０のリング部２７にクランプ２３０を引っ掛け、滑車２１０を利用してチェーン２２０を巻き上げることにより、上部ユニット１１０を固定したダイス固定用器具２０を吊り上げることが可能になっている。また、滑車２１０を利用してチェーン２２０を巻き下ろすことにより、上部ユニット１１０を固定したダイス固定用器具２０を吊り下ろすことが可能になっている。
【００２２】
（清掃方法）
上記ダイス分解保守用装置１を用いたダイス清掃方法の一例について説明する。
本例のダイス清掃方法は、固定工程と搬送工程と反転工程と清掃工程とを有する。
【００２３】
［固定工程］
固定工程は、上部ユニット１１０をダイス固定用器具２０に固定する工程である。
固定工程では、まず、予め、図２に示すように、サイドプレート部２１ａ，２２ａ以外の構成を備えたダイス固定用器具２０をダイス分離用器具３０の第１台板部３２および第２台板部３３に載せておく。このとき、２本のガイド部３４ａ，３４ａによって第１シャフト２３を挟んで保持し、２本のガイド部３５ａ，３５ａによって第２シャフト２４を挟んで保持して、ダイス固定用器具２０の全体を保持する。
次いで、押出機から取り外したダイス１００の一方の側面における隙間Ｑに、サイドプレート部２１ａの凸部２１ｄを差し込み、他方の側面における隙間Ｑに、サイドプレート部２２ａの凸部２２ｄを差し込む。次いで、ダイス分離用器具３０をダイス１００側に移動させる、または、ダイス１００を移動させることにより、図３に示すように、ダイス分離用器具３０を、サイドプレート固定部２１ｂにサイドプレート部２１ａを重ねると共にサイドプレート固定部２１ｂにサイドプレート部２１ａを重ねる。
次いで、図４に示すように、サイドプレート部２１ａをサイドプレート固定部２１ｂにネジ留めして固定する。同様に、サイドプレート部２２ａをサイドプレート固定部２２ｂにネジ留めして固定する。
また、梁部２５と上部ユニット１１０の背面とをネジ留め等により固定し、図５に示すように、梁部２５に固定補助部２６を、その支持面によって上部ユニット１１０の上面を押さえつけるように取り付ける。
【００２４】
［搬送工程］
搬送工程は、上部ユニット１１０を固定したダイス固定用器具２０を、ダイス反転手段４０に向けて搬送する工程である。
搬送工程では、図６に示すように、搬送手段２００のクランプ２３０を、ダイス固定用器具２０のリング部２７に引っ掛けた後、滑車２１０を利用してチェーン２２０を巻き上げて、上部ユニット１１０を固定したダイス固定用器具２０を吊り上げる。これにより、下部ユニット１２０から上部ユニット１１０を分離する。
次いで、ダイス固定用器具２０を吊り上げた搬送手段２００をダイス反転手段４０側に移動させることによって、上部ユニット１１０を固定したダイス固定用器具２０をダイス反転手段４０の直上に移動させる。
次いで、滑車２１０を利用してチェーン２２０を巻き下ろして、図７に示すように、上部ユニット１１０を固定したダイス固定用器具２０をダイス反転手段４０に吊り下ろす。その際、第１シャフト２３をシャフト支持部４１の受け部４１ａの上に載せ、第２シャフト２４をシャフト回転部４２の受け部４２ａ（図８参照）の上に載せる。
【００２５】
［反転工程］
反転工程は、ダイス固定用器具２０に固定した上部ユニット１１０の上下を反転させる工程である。
反転工程では、図８に示すように、連結用具４２ｃを、第２シャフト２４および連結用シャフト４２ｂの両方に締結して、第２シャフト２４を連結用シャフト４２ｂに連結させる。
次いで、人力によって回転ハンドル４２ｄを回転させて連結用シャフト４２ｂを回転させ、連結用シャフト４２ｂに連結した第２シャフト２４を回転させる。これにより、図９（ａ）（ｂ）（ｃ）に示すように、上部ユニット１１０を固定したダイス固定用器具２０を回転させて、上部ユニット１１０の上下を反転させる。なお、図９（ａ）は、反転前の状態を模式的に示す図であり、図９（ｂ）は、反転途中の状態を模式的に示す図であり、図９（ｃ）は、反転後の状態を模式的に示す図である。上部ユニット１１０の上下を反転させた際には、梁部２５に取り付けられた固定補助部２６が、上部ユニット１１０を下から支持するようになる。
上部ユニット１１０を反転させた後には、受け部４１ａの上に抑え部４１ｂを取り付けて、第１シャフト２３を回転不能に固定する。これにより、ダイス固定用器具２０を、上部ユニット１１０の溶融樹脂接触面が上を向いて露出した状態で固定する。
【００２６】
［清掃工程］
清掃工程は、溶融樹脂接触面を清掃する工程である。
清掃工程では、清掃作業者が、上を向いて露出した溶融樹脂接触面を、ブラシやウエス等の清掃用具を用いて清掃する。また、下部ユニット１２０においても、上を向いて露出した溶融樹脂接触面を清掃する。
なお、清掃後は、上記固定工程、搬送工程および反転工程を、逆戻りするようにおこなって、上部ユニット１１０を下部ユニット１２０に取り付けてダイス１００とし、そのダイス１００を押出機に取り付ける。
【００２７】
（作用効果）
上記ダイス分解保守用装置１では、ダイス清掃作業者は、上に向いた溶融樹脂接触面を磨いて清掃できるため、清掃作業の作業性を向上させることができる。
また、ダイス固定用器具２０が支持されたシャフト支持部４１およびシャフト回転部４２が、台座部４３に載せられているため、ダイス清掃作業者は、立った状態で溶融樹脂接触面を清掃できるため、作業性をより高くできる。
【００２８】
（他の実施形態）
なお、本発明のダイス分解保守用装置は上記実施形態に限定されない。
ダイス固定用器具においては、梁部以外に第１支持部および第２支持部によって上部ユニットを固定してもよい。また、サイドプレート部を省略して、サイドプレート固定部に上部ユニットを直接固定しても構わない。その場合には、底板部がないことが好ましい。固定補助部を省略しても構わないが、上下ユニットを反転させた際の安定性の点から、固定補助部を備えることが好ましい。また、ダイス固定用器具自体に、搬送手段のクランプを引っ掛けることが可能な構造を有している場合にはリング部が省略されてもよい。
ダイス分離用器具は、ダイス固定用器具を載せる台板部を備えていればよく、単なる台車や作業台であっても構わない。
シャフト回転部は連結用シャフトを備えず、第２シャフトに直接動力を伝達させてもよい。また、回転ハンドルを備えず、モータにより連結用シャフトあるいは第２シャフトを回転させてもよい。
また、本発明のダイス分解保守用装置は、ダイスの清掃以外にも、ダイスの点検、補修・修理の際にも使用することができる。ダイスの点検、補修・修理の作業についても、上記実施形態の清掃作業と同様に、作業性を向上させることができる。
【符号の説明】
【００２９】
１  ダイス分解保守用装置
２０  ダイス固定用器具
２１  第１支持部
２１ａ  サイドプレート部
２１ｂ  サイドプレート固定部
２１ｃ  平板部
２１ｄ  凸部
２１ｅ  側板部
２１ｆ  底板部
２２  第２支持部
２２ａ  サイドプレート部
２２ｂ  サイドプレート固定部
２２ｃ  平板部
２２ｄ  凸部
２２ｅ  側板部
２２ｆ  底板部
２３  第１シャフト
２４  第２シャフト
２５  梁部
２６  固定補助部
２７  リング部
３０  ダイス分離用器具
３１  台座部
３１ａ  枠部
３１ｂ  柱部
３２  第１台板部
３３  第２台板部
３４  第１シャフト保持部
３５  第２シャフト保持部
３６  キャスタ
４０  ダイス反転手段
４１  シャフト支持部
４１ａ  受け部
４１ｂ  抑え部
４２  シャフト回転部
４２ａ  受け部
４２ｂ  連結用シャフト
４２ｃ  連結用具
４２ｄ  回転ハンドル
４２ｅ  シャフト保持部
４３  台座部
４４  キャスタ
１００  ダイス
１１０  上部ユニット
１１１  突出部
１２０  下部ユニット
１２１  突出部
１３０  リップ開度調整手段
２００  搬送手段
２１０  滑車
２２０  チェーン
２３０  クランプ
【図１】
2014030918.tif 000003
【図２】
2014030918.tif 000004
【図３】
2014030918.tif 000005
【図４】
2014030918.tif 000006
【図５】
2014030918.tif 000007
【図６】
2014030918.tif 000008
【図７】
2014030918.tif 000009
【図８】
2014030918.tif 000010
【図９】
2014030918.tif 000011